(57)【特許請求の範囲】
【請求項１】
開口部を介して手首から先の部分が収納される手袋本体と、上記手袋本体の外皮面側に一体的に設けられたリストバンドとを含み、上記リストバンドを上記手袋本体の外皮面側から手首回りに巻き付けて係止することにより上記手首に固定させ、上記手袋本体内に手を保持させる医療介護用手袋において、
上記手袋本体の手の甲側および／または掌側の外皮面には、上記リストバンドの上下面を挟んで覆い隠すバンドカバーが着脱自在に取り付けられており、
上記バンドカバーには、上記リストバンドの上面側を覆い隠す上フラップと、上記リストバンドの下面側を覆い隠す下フラップと、上記各フラップが重ね合わされた状態で係着される係着手段とが設けられているとともに、
上記手袋本体と上記下フラップとの対向する面には、上記手袋本体と上記バンドカバーとの着脱を自在とする着脱手段が設けられており、
上記バンドカバーは、上記リストバンドの上下面を上記上フラップと上記下フラップとで挟んで覆い隠すことにより、少なくとも上記リストバンドの係止部分を覆い隠すことを特徴とする医療介護用手袋。
【請求項２】
上記手袋本体の手の甲側の外布には、手首より上の部分が配置される部分に通気窓が設けられており、上記通気窓は通気性シートで覆われていることを特徴とする請求項１に記載の医療介護用手袋。
【請求項３】
上記通気性シートが、網目状のメッシュシートであることを特徴とする請求項２に記載の医療介護用手袋。
【請求項４】
上記通気性シートには、上記手袋本体の内部を視認可能な開閉手段が設けられていることを特徴とする請求項２または３に記載の医療介護用手袋。
【発明の詳細な説明】
【技術分野】
【０００１】
本発明は、介護や看護を必要とする者の手に装着される医療介護用手袋に関し、さらに詳しく言えば、手袋を手に固定するために用いられるリストバンドを交換可能な部品で保護することにより、手袋の耐久性を向上させるようにした医療介護用手袋に関する。
【背景技術】
【０００２】
例えば、認知症患者や要介護者、あるいは手術直後の意識レベルの低い状態にある患者等（以下、「患者等」という。）は、病状等に応じて点滴を投与するためのチューブやバイタル計測用のケーブル等が身体に装着される。
【０００３】
しかしながら、これらの治療行為では一定の姿勢を長時間保つ必要があり、患者等にとっては非常に不快で煩わしく、例えば、寝ているときなどに無意識に取り外そうとしたり、外そうとしてパニック状態に陥り暴れたりすることがある。
【０００４】
このような行為を防止するため、医療分野においては種々の拘束用具が提案されている。その拘束用具の一つとして医療介護用手袋があり、その一例を図４に示す。
【０００５】
図４に示すように、この医療介護用手袋１は、ミトン状の手袋本体２と手袋本体２と一体的に設けられたベルト状のリストバンド３とを備えており、開口部４を介して手首より先の部分を手袋本体２内に挿入した後、リストバンド３を手首回りに巻き付けて固定するようにし、患者等の手を手袋本体２内に保持させるようにしている。
【０００６】
また、この場合、リストバンド３には、その一端側に１つの上フックボタン３ａ、その他端側に並列に配列された３つの下フックボタン３ｂとがそれぞれ設けられており、上フックボタン３ａを３つの下フックボタン３ｂのいずれかに係着させることにより、リストバンド３の固定位置および巻き付け強度の調整をしている。
【０００７】
このように、リストバンド３を患者等の手首回りのサイズに合わせて巻き付けて固定することにより、患者等の手の動きを手袋本体２内で規制し、患者等が点滴用チューブやバイタル計測用ケーブル等を外すことがないようにしている。
【０００８】
また、患者等の手を手袋本体２内に保持させることにより、患者等がパニック状態に陥って暴れたとしても、患者等自身の手を傷付けたり、周囲の者に対して怪我をさせないようにしている。
【０００９】
さらに、最近では、下記特許文献１や２に示すように、患者等の手袋装着時の不快感をできる限り減らすために手袋本体の通気性を良くしたり、その装着状態を観察できるように配慮した医療介護用手袋も提案されている。
【００１０】
しかしながら、患者等にとっては、健常者ですら苦痛を感じる一定姿勢を長時間強いられるため、強いストレスによる精神的圧迫がパニック状態を引き起こし、どうにかしてリストバンドを外して手を手袋から出そうと衝動的な行動を起こすことがある。
【００１１】
例えば、リストバンドのフックボタンを口でこじ開けようとしてフックボタンを壊したり、リストバンドを噛み千切ろうとしたりするものであり、その多くはリストバンドの係止部分の当たりを損傷させるものが多い。
【００１２】
このような患者等の行動は予想以上に多いが、従来の医療用手袋ではリストバンドと手袋本体とが一体として設けられているため、手袋全体を修理に出さなければならない。しかしながら、この修理には相当期間を要するため、手袋自体には何らの支障がないにもかかわらず、別の手袋を新たに購入しなければならないという無駄が生じていた。
【００１３】
また、このような問題は、経年使用によるリストバンドの劣化の場合であっても同様に生じるが、医療介護用手袋は医療介護という特殊な専門分野に用いられるものであるため、新たな手袋の購入費やその修理に要する費用のいずれも高額であり、コスト的にも好ましくない。
【先行技術文献】
【特許文献】
【００１４】
【特許文献１】特開２００９−１０８４３１号公報
【特許文献２】特開２０１０−１５０７２６号公報
【発明の概要】
【発明が解決しようとする課題】
【００１５】
そこで、本発明は、上述した課題を解決するため、リストバンドと手袋本体とが一定的に設けられている医療介護用手袋において、リストバンドを交換可能な部品で保護することにより、手袋自体の修理を不要として手袋の耐久性を向上させるとともに、使用者の経済的負担を軽減させるようにした医療介護用手袋を提供することにある。
【課題を解決するための手段】
【００１６】
上述した目的を達成するため、請求項１に記載の発明は、開口部を介して手首から先の部分が収納される手袋本体と、上記手袋本体の外皮面側に一体的に設けられたリストバンドとを含み、上記リストバンドを上記手袋本体の外皮面側から手首回りに巻き付けて係止することにより上記手首に固定させ、上記手袋本体内に手を保持させる医療介護用手袋において、上記手袋本体の手の甲側および／または掌側の外皮面には、上記リストバンドの上下面を挟んで覆い隠すバンドカバーが着脱自在に取り付けられており、上記バンドカバーには、上記リストバンドの上面側を覆い隠す上フラップと、上記リストバンドの下面側を覆い隠す下フラップと、上記各フラップが重ね合わされた状態で係着される係着手段とが設けられているとともに、上記手袋本体と上記下フラップとの対向する面には、上記手袋本体と上記バンドカバーとの着脱を自在とする着脱手段が設けられており、上記バンドカバーは、上記リストバンドの上下面を上記上フラップと上記下フラップとで挟んで覆い隠すことにより、少なくとも上記リストバンドの係止部分を覆い隠すこと特徴としている。
【００１８】
請求項２に記載の発明は、請求項１において、上記手袋本体の手の甲側の外布には、手首より上の部分が配置される部分に通気窓が設けられており、上記通気窓は通気性シートで覆われていることを特徴としている。
【００１９】
請求項３に係る発明は、請求項２において、上記通気性シートが、網目状のメッシュシートであることを特徴としている。
【００２０】
請求項４に係る発明は、請求項２または３において、上記通気性シートには、上記手挿入部の内部を視認可能な開閉手段が設けられていることを特徴としている。
【発明の効果】
【００２１】
請求項１に記載の発明によれば、手首挿入部の手の甲側および／または掌側にリストバンドを覆い隠す着脱自在なバンドカバーを取り付け、リストバンドをバンドカバーによって保護したことにより、患者等がバンドカバーを損傷することがあるとしてもリストバンドを損傷させることを避けることができるため、手袋自体の耐久性を向上させることができるとともに、修理や新たな手袋を買う等の経済的負担を回避することができる。
【００２２】
また、バンドカバーを、リストバンドの上下面を挟む開閉自在な上下フラップで構成するとともに、下フラップと手袋本体との対向面に着脱手段を設けたことにより、バンドカバーとリストバンドおよびバンドカバーと手袋本体との取り付け取り外しを容易に行うことができるため使用性を向上させることができる。
【００２３】
請求項２または３に記載の発明によれば、手袋本体の手の甲側の手首より上が位置する部分に通気窓を設け、ここに、例えば、網目状のメッシュシートなどの通気性シートを設けたことにより、手袋本体内の蒸れによる不快感を解消することができ、より快適な使用感を図ることができる。
【００２４】
請求項４に記載の発明によれば、通気性シートに、例えば、ファスナ等の開閉手段を設けることにより、手袋を外すことなく手挿入部内の手指等の状態を観察することができるため、使用性を向上させることができる。
【図面の簡単な説明】
【００２５】
【図１】本発明の一実施形態に係る医療介護用手袋の（ａ）正面図および（ｂ）側面図。
【図２】本発明に係るバンドカバーを手袋本体から外した状態の正面図。
【図３】本発明に係るバンドカバーの（ａ）正面図、（ｂ）展開図および（ｃ）背面図。
【図４】従来の医療用手袋の一例を示す正面図。
【発明を実施するための形態】
【００２６】
次に図面を参照して本発明の一実施形態について説明する。図１に示すように、この医療用手袋１Ａは、開口部１１を介して手首から上の部分が収納される手袋本体１０と、手首回りを手袋本体１０の表面側から固定するリストバンド２０と、リストバンド２０の一部を覆い隠すように配設されたバンドカバー３０とを備えている。
【００２７】
手袋本体１０には、その内部に手首より上の指先までの部分を収納するのに十分な空間を備えた手挿入部１２と、開口部１１と連通して手首部分を収納する空間を備えた手首固定部１３とが備えられ、手首固定部１３の外皮側の所定位置にリストバンド２０とバンドカバー３０が配設されるようになっている。
【００２８】
この例で、手袋本体１０は、同一形状の手の甲側のシート１４ａと掌側のシート１４ｂの外縁が、バイアス１４ｃを介して手首固定部１３の部分を除いて縫合され、その全体がミトン状に形成されている。
【００２９】
手の甲側のシート１４ａと掌側のシート１４ｂは、図示はされていないが、外皮と内皮とが重ね合わされた二重構造で形成され、これにより、通気性と強度を確保するようにしている。
【００３０】
なお、外布としては、衛生上、抗菌加工が施されていることが好ましく、汚染性、撥水性加工が施されているものが好ましい。また、内布は手に直接触れるものであるため、低刺激であり、吸水・拡散作用によって通気性がよく、汚れを落としやすい材質の布材が用いられることが好ましい。
【００３１】
また、掌側のシート１４ｂの手挿入部１２が位置する外皮と内皮との間に、衝撃を吸収するクッション材を装着してもよく、例えば、内皮にクッション材着脱用のスリットを設け、このスリットを介してクッション材を開口部側で着脱自在に装着するようにしてもよい。
【００３２】
クッション材としては、ある程度の弾性を持つポリエステル製のフェルトをパット状にしたものが用いることができるが、これ以外に、硬質発泡ウレタンや低反発発泡ウレタン、クッション性を有する繊維体であってもよい。
【００３３】
これによれば、患者等がパニック状態に陥って暴れた場合でも、患者等自身の手を守ることができるとともに、周囲の者に対する危害を抑えることができ、安全性を向上させることができる。
【００３４】
本発明において、手の甲側のシート１４ａには、手挿入部１２と対向する面に通気窓１５が設けられ、ここにメッシュシート等の通気性シート１６が張設されて手挿入部１２と外気との通気性を確保するようにしている。
【００３５】
また、通気性シート１６には、その幅方向に沿って開閉自在なファスナ１７が設けられており、ファスナ１７を開放することで、手挿入部１２内に配置された患者等の手を観察できるようになっている。
【００３６】
なお、ファスナ１７の閉着位置には引き手カバー部１８が設けられており、その閉着状態において、引き手カバー部１８内にファスナ１７の引き手１７ａを収容することで、患者等の口により引き手１７ａが引っ張られてファスナ１７が開けられないようにしている。
【００３７】
手袋本体１０の手首固定部１３には、リストバンド２０が一体的に取り付けられており、手首固定部１３の手の甲側および掌側の所定位置には、それぞれベルト通し１３ａ，１３ｂが設けられている。
【００３８】
リストバンド２０は、非伸縮性の帯状テープからなり、その一端がＤカン１９を包持した状態で手首固定部１３の開口端側に縫着されており、その自由端側にフック面ファスナ２１が、その他端側にループ面ファスナ２２がそれぞれ設けられている。
【００３９】
この実施形態において、手首固定部１３の手の甲側には、バンドカバー３０が係着されている。この例で、バンドカバー３０は、図３に示すように、ほぼ同一の五角形状の上フラップ３１と下フラップ３２とが重ね合わされ、その対向する一辺同士が縫合されて六角形状に形成されている。
【００４０】
図２および図３（ｃ）に示すように、バンドカバー３０と手首固定部１３には、それらが係着される着脱手段４０が設けられており、この例において、着脱手段４０は、バンドカバー３０の下フラップ３２の裏面（手首固定部１３との対向面）にはフック面ファスナ４０ａが、手首固定部１３側にはループ面ファスナ４０ｂがそれぞれ設けられている。
【００４１】
また、上フラップ３１と下フラップ３２の対向面には、それらを重ね合わせた状態で係着する一対のフックボタン３３，３４が設けられており、上フラップ３１の上フックボタン３３と下フラップ３２の下フックボタン３４とを互いに係着させることにより、それら上下フラップ３１，３２を固定することができる。
【００４２】
なお、この例において、上フックボタン３３と下フックボタン３４とは、その係着状態が、上フックボタン３３の中央に設けられた凹部３３ａを押圧しなければ容易に解除できないようになっている。
【００４３】
次に、図１および図２を参照して、この医療介護用手袋１Ａの使用手順の位置について説明する。まず、この医療用手袋１Ａを装着するにあたって、手の甲側のシート１４ａの手首固定部１３に設けられたループ面ファスナ４０ｂ上にバンドカバー３０の下フラップ３２のフック面ファスナ４０ａを係着させ、手袋本体１０にバンドカバー３０を取り付ける。
【００４４】
そして、バンドカバー３０の上下フラップ３１，３２の上下フックボタン３３，３４の係着状態を解除して上フラップ３１を開き、リストバンド２０を下フラップ３２上に掛け渡してベルト通し１３ａに挿通した後、掌側のシート１４ｂ側へと回し込み、リストバンド２０を掌側のシート１４ｂのベルト通し１３ｂとＤカン１９へと通す。
【００４５】
次に、開口部１１から手を挿入し、リストバンド２０をＤカン１９への挿通方向とは逆方向に折り返し、折り返したリストバンド２０の自由端側を再び手の甲側のシート１４ａ側に回し込み下フラップ３２上に掛け渡した後、リストバンド２０を患者等の手首サイズに合わせてリストバンド２０のフック面ファスナ２１とループ面ファスナ２２とを係止させる。
【００４６】
この状態で、バンドカバー３０の上フラップ３１を下フラップ３２側に重ね合わせ、リストバンド２０をバンドカバー３０で覆い隠すようにして上フックボタン３３と下フックボタン３４とを係着させる。これにより、患者等の手が医療用手袋１Ａに装着される。
【００４７】
このように、リストバンド２０の係止部分をバンドカバー３０で覆い隠すようにすることができるため、患者等の衝動的な行動によってリストバンド２０の係止部分に損傷を与えることがなく、手袋の耐久性を向上させることができる。
【００４８】
また、例えば、患者等の衝動的な行動によってバンドカバー３０のフックボタン３３，３４が壊れる等の損傷が起きた場合でも、バンドカバー３０のみを交換すればよく、手袋全体を修理に出したり新たな手袋を購入する必要もなく経済性を向上させることができる。
【００４９】
なお、本実施形態では、バンドカバー３０を手首固定部１３の手の甲側のみに設けた例で説明したが、掌側に設けても良く、手の甲側と掌側の双方に設けても良く、バンドカバー３０の配設位置は、リストバンド２０の巻回方向、係止位置に合わせて適宜選択されてよい。
【００５０】
また、この例では、バンドカバー３０を面ファスナ等の着脱手段４０により手袋本体１０に取り付けるようにしているが、リストバンド２０を、単にバンドカバー３０の上下フラップ３１，３２内に挿通することによってもリストバンド２０を覆い隠すことができる。
【００５１】
本実施形態では、リストバンド２０の両端に設けられたフック面ファスナ２１とループ面ファスナ２２とを係着することによりリストバンド２０の締着位置を調整しているが、これに限られることはなく、例えば、バンドカバー３０の上下フックボタン３３，３４と同様のフックボタンにより締着位置を調整するようにしてもよい。
【００５２】
また、手袋本体１０の手挿入部１２に収納された手を観察するため、その開閉手段として通気性シート１６の幅方向にファスナ１７を設けているが、通気性シートの斜め方向あるいは長さ方向に設けても良く、また、通気性シートを重ね合わせる構成とし、その重なり部分に面ファスナ等の開閉手段を設けてもよい。
【符号の説明】
【００５３】
１Ａ  医療介護用手袋
１０  手袋本体
１１  開口部
１２  手挿入部
１３  手首固定部
１３ａ，１３ｂ  ベルト通し
１４ａ  甲側のシート
１４ｂ  掌側のシート
１４ｃ  バイアス
１５通気窓
１６  通気性シート
１７  ファスナ
１８  引き手カバー部
１９  Ｄカン
２０  リストバンド
２１，２２  面ファスナ
３０  バンドカバー
３１，３２  フラップ
３３，３４  フックボタン
４０  着脱手段（面ファスナ）
【図１】
0005277268.tif 000002
【図２】
0005277268.tif 000003
【図３】
0005277268.tif 000004
【図４】
0005277268.tif 000005